(57)【特許請求の範囲】
【請求項１】
温水を通す温水パイプを往路側温水パイプと復路側温水パイプとで構成し、往路側温水パイプと復路側温水パイプを略平行に隣接させて蛇行状に配管し、往路側温水パイプの一端の温水入口と復路側温水パイプの一端の温水出口とを隣接させると共に、往路側温水パイプと復路側温水パイプの他端同士を連通させて成り、パイプ配設溝に沿って予め温水パイプを通した床暖房パネルを複数枚並べると共に隣接する床暖房パネルの温水パイプ同士を接続させて成る床暖房装置であって、
パイプ配設溝として往路側パイプ配設溝と復路側パイプ配設溝とを平行に設けると共に、往路側パイプ配設溝に往路側温水パイプを、復路側パイプ配設溝に復路側温水パイプを通し、各床暖房パネルの往路側パイプ配設溝の端部を第１往路側端部溝と第２往路側端部溝とに分岐すると共に復路側パイプ配設溝の端部を第１復路側端部溝と第２復路側端部溝とに分岐し、第１往路側端部溝及び第１復路側端部溝の端部を床暖房パネルの端面に開口させ、第２往路側端部溝の端部と第２復路側端部溝の端部とを連通させ、第１往路側端部溝の長さと第２往路側端部溝の長さとを同じ長さとすると共に第１復路側端部溝の長さと第２復路側端部溝の長さとを同じ長さとし、
床暖房パネルが隣接する部分では、往路側温水パイプを第１往路側端部溝に通すと共に復路側温水パイプを第１復路側端部溝に通し、開口に位置する往路側温水パイプの端部の接続口同士を接続すると共に開口に位置する復路側温水パイプの端部の接続口同士を接続し、
端に位置する床暖房パネルで往路側温水パイプと復路側温水パイプとを接続する部分では、往路側温水パイプを第２往路側端部溝に通すと共に復路側温水パイプを第２復路側端部溝に通し、第２往路側端部溝と第２復路側端部溝を連通させる部分に位置する往路側温水パイプの端部の接続口と復路側温水パイプの端部の接続口とを接続して
成ることを特徴とする床暖房装置。
【請求項２】
第２往路側端部溝と第２復路側端部溝とを連通させる部分の溝幅を他の部分より幅の広い接続用溝として成ることを特徴とする請求項１記載の床暖房装置。
【発明の詳細な説明】
【０００１】
【発明の属する技術分野】
本発明は、温水を流すことにより暖房を行う床暖房装置に関するものである。
【０００２】
【従来の技術】
従来の床暖房装置は図６に示すように温水パイプ１を単に蛇行状に配置してあり、温水パイプ１の一端が温水を投入する温水入口２となっていると共に温水パイプ１の他端が温水を流出させる温水出口３となっている。
【０００３】
【発明が解決しようとする課題】
上記従来例では一方の位置の温水入口２から投入された温水は他方の位置の温水出口３から流出する設計となっており、温水入口２から離れるほど温水の温度が下降して行き、温水出口３に近づくほど床表面温度が下がり、床表面温度が全面に亙って均一にならないという問題がある。
【０００４】
本発明は上記の点に鑑みてなされたものであり、床表面温度が全面に亙って均一になるように床暖房できる床暖房装置を提供することを課題とするものである。
【０００５】
【課題を解決するための手段】
上記課題を解決するため本発明の請求項１の床暖房装置は、温水を通す温水パイプ１を往路側温水パイプ１ａと復路側温水パイプ１ｂとで構成し、往路側温水パイプ１ａと復路側温水パイプ１ｂを略平行に隣接させて蛇行状に配管し、往路側温水パイプ１ａの一端の温水入口２と復路側温水パイプ１ｂの一端の温水出口３とを隣接させると共に、往路側温水パイプ１ａと復路側温水パイプ１ｂの他端同士を連通させて成ることを特徴とする。温水入口２から温水を供給すると、往路側温水パイプ１ａに温水が流れてから復路側温水パイプ１ｂに温水が流れ、温水出口３から流出する。これにより温水入口２から温水出口３に向けて徐々に温水の温度が下降しても床全体でみると各部で同程度の放熱が行われ、床全体の温度が均一化される。
【０００６】
そして、パイプ配設溝４に沿って予め温水パイプ１を通した床暖房パネル５を複数枚並べると共に隣接する床暖房パネル５の温水パイプ１同士を接続する床暖房装置であって、パイプ配設溝４として往路側パイプ配設溝４ａと復路側パイプ配設溝４ｂとを平行に設けると共に、往路側パイプ配設溝４ａに往路側温水パイプ１ａを、復路側パイプ配設溝４ｂに復路側温水パイプ１ｂを通し、各床暖房パネル５の往路側パイプ配設溝４ａの端部を第１往路側端部溝４ａ１と第２往路側端部溝４ａ２とに分岐すると共に復路側パイプ配設溝４ｂの端部を第１復路側端部溝４ｂ１と第２復路側端部溝４ｂ２とに分岐し、第１往路側端部溝４ａ１及び第１復路側端部溝４ｂ１の端部を床暖房パネル５の端面に開口させ、第２往路側端部溝４ａ２の端部と第２復路側端部溝４ｂ２の端部とを連通させ、第１往路側端部溝４ａ１の長さと第２往路側端部溝４ａ２の長さとを同じ長さとすると共に第１復路側端部溝４ｂ１の長さと第２復路側端部溝４ｂ２の長さとを同じ長さとし、床暖房パネル５が隣接する部分では往路側温水パイプ１ａを第１往路側端部溝４ａ１に通すと共に復路側温水パイプ１ｂを第１復路側端部溝４ｂ１に通し、開口に位置する往路側温水パイプ１ａの端部の接続口６同士を接続し、開口に位置する復路側温水パイプ１ｂの端部の接続口６同士を接続し、端に位置する床暖房パネル５で往路側温水パイプ１ａと復路側温水パイプ１ｂとを接続する部分では往路側温水パイプ１ａを第２往路側端部溝４ａ２に通すと共に復路側温水パイプ１ｂを第２復路側端部溝４ｂ２に通し、第２往路側端部溝４ａ２と第２復路側端部溝４ｂ２を連通させる部分に位置する往路側温水パイプ１ａの端部の接続口６と復路側温水パイプ１ｂの端部の接続口６とを接続したことを特徴とする。これにより、床暖房パネル５が隣接する部分で往路側温水パイプ１ａ同士を接続したり、復路側温水パイプ１ｂ同士を接続したりする場合でも、端に位置する床暖房パネル５で往路側温水パイプ１ａと復路側温水パイプ１ｂとを接続する場合でも、パイプを切断したりすることなく接続でき、施工が容易にできると共に施工者による配管品質のばらつきを生じたりすることがないようにできる。
【０００７】
また本発明の請求項２の床暖房装置は、請求項１において、第２往路側端部溝４ａ２と第２復路側端部溝４ｂ２とを連通させる部分の溝幅を他の部分より幅の広い接続用溝７として成ることを特徴とする。第２往路側端部溝４ａ２に通した往路側温水パイプ１ａの端部の接続口６と第２復路側端部溝４ｂ２に通した復路側温水パイプ１ｂの端部の接続口６とを接続するとき接続スリーブのような接続具８を用いても接続具８を収めることができて接続が容易にできる。
【０００８】
【発明の実施の形態】
先ず、図１に示す参考例から述べる。温水パイプ１を図１に示すように蛇行状に配置して床暖房装置が形成されるのであるが、本発明の場合、温水パイプ１が往路側温水パイプ１ａと復路側温水パイプ１ｂとで構成してあり、往路側温水パイプ１ａと復路側温水パイプ１ｂとを略平行に隣接させて蛇行状に配管してあり、往路側温水パイプ１ａの一端の温水入口２と復路側温水パイプ１ｂの一端の温水出口３とを隣接させてあり、往路側温水パイプ１ａと復路側温水パイプ１ｂの他端同士を連通させてある。温水入口２から温水を供給すると、往路側温水パイプ１ａに温水が流れてから復路側温水パイプ１ｂに温水が流れ、温水出口３から流出する。これにより温水入口２から温水出口３に向けて徐々に温水の温度が下降しても床全体でみると各部で同程度の放熱が行われ、床全体の温度が均一化される。
【０００９】
次に図２乃至図５に示す実施の形態の例について述べる。本例も上記例と基本的に同じであり、異なる点だけを述べる。床暖房パネル２にパイプ配設溝４を設けてあり、このパイプ配設溝４に温水パイプ１を通して温水パイプ１を予め装着してある。パイプ配設溝４としては往路側パイプ配設溝４ａと復路側パイプ配設溝４ｂとがあり、往路側パイプ配設溝４ａと復路側パイプ配設溝４ｂとを平行に隣接させて蛇行状に設けてある。温水パイプ１としては往路側温水パイプ１ａと復路側温水パイプ１ｂとがあり、往路側パイプ配設溝４ａに往路側温水パイプ１ａを通してあり、復路側パイプ配設溝４ｂに復路側温水パイプ１ｂを通してある。
【００１０】
床暖房パネル２の両側の側端に位置する往路側パイプ配設溝４ａや復路側パイプ配設溝４ｂの端部は図３に示すように形成されている。往路側パイプ配設溝４ａの端部は第１往路側端部溝４ａ１と第２往路側端部溝４ａ２とに分岐してあり、復路側パイプ配設溝４ｂの端部は第１復路側端部溝４ｂ１と第２復路側端部溝４ｂ２とに分岐してある。第１往路側端部溝４ａ１及び第１復路側端部溝４ｂ１の端部は床暖房パネル５の側端面に開口させてあり、第２往路側端部溝４ａ２の端部と第２復路側端部溝４ｂ２の端部とは連通させてある。第１往路側端部溝４ａ１の長さと第２往路側端部溝４ａ２の長さとを同じ長さとしてあり、第１復路側端部溝４ｂ１の長さと第２復路側端部溝４ｂ２の長さとを同じ長さとしてある。第１往路側端部溝４ａ１及び第１復路側端部溝４ｂ１の端部は床暖房パネル５の側端面に開口しているが、この開口する部分の近傍は他の部分より溝幅の広い連結用溝９としてある。また第２往路側端部溝４ａ２と第２復路側端部溝４ｂ２とを連通させる部分も溝幅を他の部分より広くして接続用溝７としてある。床暖房パネル５に予め往路側温水パイプ１ａや復路側温水パイプ１ｂを配置してあるが、通常は往路側温水パイプ１ａを第１往路側端部溝４ａ１に通してあると共に復路側温水パイプ１ｂを第１復路側端部溝４ｂ１に通してあり、往路側温水パイプ１ａの端部の接続口６と復路側温水パイプ１ｂの端部の接続口６を連結用溝９内に位置させてある。
【００１１】
床暖房パネル５としては本例の場合、親床暖房パネル５ａと子床暖房パネル５ｂとがある。親床暖房パネル５ａと子床暖房パネル５ｂとは基本的に構造が同じであるが、親床暖房パネル５ａにはヘッダー１０を設けてあり、往路側温水パイプ１ａの温水入口に温水を供給できるようになっていると共に復路側温水パイプ１ｂの温水出口から暖房に寄与した温水を流出させることができるようになっている。
【００１２】
床暖房装置を施工するとき複数枚の床暖房パネル５を並べて敷設されるのであるが、図５に示すように中央に親床暖房パネル５ａが配置され、親床暖房パネル５ａに隣接するように子床暖房パネル５ｂが並べて配置される。隣り合う床暖房パネル５同士を接続する部分では図４（ａ）に示すように第１往路側端部溝４ａ１に通した往路側温水パイプ１ａの端部の接続口６同士を対向させて接続スリーブのような接続具８にて接続され、第１復路側端部溝４ｂ１に通した復路側温水パイプ１ｂの端部同士を対向させて接続スリーブのような接続具８にて接続される。このとき接続具８を溝幅の広い連結用溝９内に位置させて収めることができる。端部に位置する床暖房パネル５で往路側温水パイプ１ａの端部の接続口６と復路側温水パイプ１ｂの端部の接続口６とを接続する場合は、図４（ｂ）に示すように往路側温水パイプ１ａを第２往路側端部溝４ａ２に通すと共に復路側温水パイプ１ｂを第２復路側端部溝４ｂ２に通し、接続用溝７で接続口６同士が接続スリーブのような接続具８にて接続される。この場合、接続用溝７に接続具８を収めることができる。上記のように床暖房パネル５が隣接する部分で往路側温水パイプ１ａ同士を接続したり、復路側温水パイプ１ｂ同士を接続したりする場合でも、端に位置する床暖房パネル５で往路側温水パイプ１ａと復路側温水パイプ１ｂとを接続する場合でも、パイプを切断したりすることなく接続でき、施工が容易にできると共に施工者による配管品質のばらつきを生じたりすることがないようにできる。つまり、施工時に配管長さを調整して切断する場合、施工に手間がかかると共に施工者による配管品質のバラツキが発生して最悪の場合温水漏れのおそれがあるが、本発明の場合そのようなことが起こらない。
【００１３】
【発明の効果】
本発明の請求項１の発明は温水を通す温水パイプを往路側温水パイプと復路側温水パイプとで構成し、往路側温水パイプと復路側温水パイプを略平行に隣接させて蛇行状に配管し、往路側温水パイプの一端の温水入口と復路側温水パイプの一端の温水出口とを隣接させると共に、往路側温水パイプと復路側温水パイプの他端同士を連通させているので、温水入口から温水を供給すると、往路側温水パイプに温水が流れてから復路側温水パイプに温水が流れ、温水出口から流出するものであって、温水入口から温水出口に向けて徐々に温水の温度が下降しても床全体でみると各部で同程度の放熱が行われ、床全体の温度が均一化されるものである。
【００１４】
そして、パイプ配設溝に沿って予め温水パイプを通した床暖房パネルを複数枚並べると共に隣接する床暖房パネルの温水パイプ同士を接続する床暖房装置であって、パイプ配設溝として往路側パイプ配設溝と復路側パイプ配設溝とを平行に設けると共に、往路側パイプ配設溝に往路側温水パイプを、復路側パイプ配設溝に復路側温水パイプを通し、各床暖房パネルの往路側パイプ配設溝の端部を第１往路側端部溝と第２往路側端部溝とに分岐すると共に復路側パイプ配設溝の端部を第１復路側端部溝と第２復路側端部溝とに分岐し、第１往路側端部溝及び第１復路側端部溝の端部を床暖房パネルの端面に開口させ、第２往路側端部溝の端部と第２復路側端部溝の端部とを連通させ、第１往路側端部溝の長さと第２往路側端部溝の長さとを同じ長さとすると共に第１復路側端部溝の長さと第２復路側端部溝の長さとを同じ長さとし、床暖房パネルが隣接する部分では往路側温水パイプを第１往路側端部溝に通すと共に復路側温水パイプを第１復路側端部溝に通し、開口に位置する往路側温水パイプの端部の接続口同士を接続し、開口に位置する復路側温水パイプの端部の接続口同士を接続することができ、また端に位置する床暖房パネルで往路側温水パイプと復路側温水パイプとを接続する部分では往路側温水パイプを第２往路側端部溝に通すと共に復路側温水パイプを第２復路側端部溝に通し、第２往路側端部溝と第２復路側端部溝を連通させる部分に位置する往路側温水パイプの端部の接続口と復路側温水パイプの端部の接続口とを接続したので、床暖房パネルが隣接する部分で往路側温水パイプ同士を接続したり、復路側温水パイプ同士を接続したりする場合でも、端に位置する床暖房パネルで往路側温水パイプと復路側温水パイプとを接続する場合でも、パイプを切断したりすることなく接続でき、施工が容易にできると共に施工者による配管品質のばらつきを生じたりすることがないようにできるものである。
【００１５】
また本発明の請求項２の発明は、請求項１において、第２往路側端部溝と第２復路側端部溝とを連通させる部分の溝幅を他の部分より幅の広い接続用溝としたので、第２往路側端部溝に通した往路側温水パイプの端部の接続口と第２復路側端部溝に通した復路側温水パイプの端部の接続口とを接続するとき接続スリーブのような接続具を用いても接続具を接続用溝に収めることができて接続が容易にできるものである。
【図面の簡単な説明】
【図１】参考例を示す平面図である。
【図２】本発明の実施の形態の一例の床暖房パネルを示す平面図であり、（ａ）は親床暖房パネルを示し、（ｂ）は子床暖房パネルを示す。
【図３】図２のＸ部を拡大せる平面図である。
【図４】同上の温水パイプを通す状態を説明する平面図であり、（ａ）（ｂ）は異なる状態を示すものである。
【図５】同上の床暖房パネルの配置状態を説明する平面図である。
【図６】従来例の平面図である。
【符号の説明】
１ 温水パイプ
１ａ 往路側温水パイプ
１ｂ 復路側温水パイプ
２ 温水入口
３ 温水出口
４ パイプ配設溝
４ａ 往路側パイプ配設溝
４ａ１ 第１往路側端部溝
４ａ２ 第２往路側端部溝
４ｂ 復路側パイプ配設溝
４ｂ１ 第１復路側端部溝
４ｂ２ 第２復路側端部溝
５ 床暖房パネル
６ 接続口
７ 接続用溝
【図１】
0004106834.tif 000002
【図２】
0004106834.tif 000003
【図３】
0004106834.tif 000004
【図４】
0004106834.tif 000005
【図５】
0004106834.tif 000006
【図６】
0004106834.tif 000007